(57)【要約】      （修正有）【課題】シール部が損傷を受けないよう、改善されたプラグコネクターを提供する。【解決手段】シール部２０がスピゴット状のハウジング区分に取り付けられ、その回りに延在する。シール部２０のためのガイドリブ２６は、差し込み方向Ｓで考察したとき、シール部２０を受け入れるように設計されたスピゴット状のハウジング区分２２の領域又は座席２４（特に図３参照）と、組み立て前位置を採用した第２のラッチ要素１８との間に設けられている。シール部２０は、第２のラッチ要素１８の方向にシフトする場合に、シール部２０の座席２４と、組み立て前位置を採用した第２のラッチ要素１８との間の臨界領域２８でこれらのガイドリブ２６によって支持される。【選択図】    図３
2005216863.tif 000002
【特許請求の範囲】
【請求項１】
電気プラグコネクター（１０）であって、
電気接点部のための少なくとも１つの受け入れ部（１４）を有するハウジング（１２）と、
第２のラッチ要素（１８）であって、前記電気接点部を前記受け入れ部内に挿入することができるところの組み立て前位置から、前記接点部が前記第２のラッチ要素により前記受け入れ部内に固定されるところのエンド位置へと前記ハウジング（１２）に対して移動することができる、前記第２のラッチ要素と、
スピゴット状ハウジング区分（２２）上に取り付けられたシール部（２０）と、
を備え、
前記差し込み方向（Ｓ）で考察したとき、前記シール部（２０）のためのガイドリブ（２６）は、該シール部（２０）を受け入れるように設計された前記スピゴット状ハウジング区分（２２）の領域（２４）と、組み立て間位置を採用した前記第２のラッチ要素（１８）との間に設けられ、前記シール部（２０）は、該第２のラッチ要素（１８）の方向にシフトする場合に前記中間領域（２８）で支持されることを特徴とする、電気プラグコネクター（１０）。
【請求項２】
前記ガイドリブ（２６）は、前記シフトの場合に前記シール部（２０）が前記中間領域（２８）にその張力印加レベルに保持されるように、その周囲に沿って分布していることを特徴とする、請求項１に記載の電気プラグコネクター。
【請求項３】
前記ガイドリブ（２６）は、前記差し込み方向（Ｓ）に延在することを特徴とする、請求項１又は２に記載の電気プラグコネクター。
【請求項４】
前記ガイドリブ（２６）は、前記ハウジング（１２）、即ち前記スピゴット状ハウジング区分（２２）に設けられていることを特徴とする、上記請求項のうちいずれか１項に記載の電気プラグコネクター。
【請求項５】
前記第２のラッチ要素（１８）には、切り抜き部（３０）が設けられ、前記第２のラッチ要素（１８）のエンド位置への移動時に、前記ガイドリブ（２６）が該切り抜き部に入っていくことを特徴とする、請求項４に記載の電気プラグコネクター。
【請求項６】
前記第２のラッチ要素（１８）は、その組み立て前位置と、前記差し込み方向におけるそのエンド位置との間で位置移動可能であることを特徴とする、上記請求項のうちいずれか１項に記載の電気プラグコネクター。
【請求項７】
前記シール部（２０）は、前記スピゴット状ハウジング区分（２２）の回りに延在することを特徴とする、上記請求項のうちいずれか１項に記載の電気プラグコネクター。
【請求項８】
前記シール部（２０）を支持する前記スピゴット状ハウジング区分（２２）は、周囲のハウジングカラー（３４）の内側に配列されていることを特徴とする、上記請求項のうちいずれか１項に記載の電気プラグコネクター。
【請求項９】
２つのコネクターを一緒に差し込むとき、相補的なプラグコネクターと連係するハウジングスリーブを、前記シール部（２０）と前記ハウジングカラー（３４）との間の領域内に挿入して前記シール部（２０）を圧縮することができる程度に、前記シール部（２０）と前記ハウジングカラー部（３４）との間の間隔は前記ハウジングスリーブの壁厚よりも小さいことを特徴とする、請求項８に記載の電気プラグコネクター。
【請求項１０】
前記電気プラグコネクターは、各々のプラグコネクターシステムの差し込み部品として設けられていることを特徴とする、上記請求項のうちいずれか１項に記載の電気プラグコネクター。
【請求項１１】
前記電気プラグコネクターは、各々のプラグコネクターシステムの受け側部品として設けられていることを特徴とする、請求項１乃至９のいずれか１項に記載の電気プラグコネクター。
【発明の詳細な説明】
【技術分野】
【０００１】
本発明は、電気プラグコネクターに関する。該電気プラグコネクターは、電気的接点用の少なくとも１つの受け入れ部を有するハウジングと、第２のラッチ要素であって、該電気的接点を受け入れ部に挿入することができる組み立て前位置から、該接点が第２のラッチ要素により受け入れ部に固定されるところのエンド位置へとハウジングに対して移動することができる第２のラッチ要素と、スピゴット状のハウジング区分に取り付けられたシール部と、を備えたものである。
【背景技術】
【０００２】
上記型式の電気プラグコネクターは一般に知られている。概して、それらのコネクターは、相補的なプラグコネクターと一緒に差し込むことができ、電気的な接続の用に供し、オプションで、例えばケーブル及び／又は電気ユニット等の電気装置の機械的接続の用にも供する。それらのコネクターは、特に自動車でも使用される。
【０００３】
ハウジングのシールが、組み立て前位置を採用した第２のラッチ要素の方向に滑り落ちて、第２のラッチ要素に載るようになることは、例えば、そのような電気プラグコネクターの輸送の間又は更なる処理の間に起こり得る。これに対応するシール部のシフトは最初の一見では見ることができず、それによって、当該シフトは、組み立ての間のあらゆる場合に気づかれないことになる。しかし、プラグコネクターが電気的接点と適合する場合、及び、第２のラッチ要素がそのエンド位置にまで引き続いて移動される場合には、シール部が、つぶされ、損傷を受け、或いは破壊されさえするリスクが存在しており、これはコネクターの技術的失敗に等しい。
【発明の開示】
【発明が解決しようとする課題】
【０００４】
本発明の根底にある目的は、前述した問題を可能な限り単純で信頼性の高い態様で解決する冒頭に記載した種類の改善されたプラグコネクターを提供することである。
【課題を解決するための手段】
【０００５】
上記目的は、シール部のためのガイドリブが、差し込み方向で考察したとき、該シール部を受け入れるように設計されたスピゴット状ハウジング区分の領域と、組み立て前位置を採用した第２のラッチ要素との間に設けられ、該シール部は、第２のラッチ要素の方向にシフトする場合に中間領域で支持される。
【０００６】
スリップされたハウジングのシール部がエンド位置へと移動するときに、シール部の押しつぶし、該シール部への損傷又は破壊さえが生じることが、本設計に基づく簡単で信頼性の高い態様で防止される。本システムは、自明なものであり、各々のプラグコネクターは、問題無く、簡単な態様で操作することができる。従って、組み立て工は、各々、ハウジングシール部がスリップしたか否かに関して何の考慮も必要としない。本システムは、シール部がスリップしたときでさえも問題無く高い信頼性で使用することができるからである。
【０００７】
ガイドリブは、シール部がシフトする場合に、中間範囲にその予め張力を張られたレベルに維持されるように、その周囲に沿って分布するのが好ましい。従って、エンド位置に移動された第２のラッチ要素との衝突は、臨界的な中間領域においてさえも如何なるときにおいても発生しない。
【０００８】
差し込み方向に延在するガイドリブは、ハウジング又はスピゴット状ハウジング区分で設けられるのが好ましい。この場合には、第２のラッチ要素には、切り抜き部を設けることができ、該切り抜き部には、ガイドリブが、第２のラッチ要素のエンド位置への移動時に挿入される。
【０００９】
しかし、少なくとも幾つかのガイドリブが第２のラッチ要素に伴われ、この場合に、対応する切り抜き部がハウジングに設けられるような実施例も一般には考えられる。しかし、ガイドリブは、ハウジングに設けられるのが好ましい。
【００１０】
前述したように、第２のラッチ要素は、その組み立て前位置と、差し込み方向におけるそのエンド位置との間で移動することができるのが好ましい。
好ましい実用的な実施例では、シール部は、スピゴット状ハウジング区分の回りに延在する。従って、ハウジングシール部は、特にリング形状にすることができる。
【００１１】
シール部を支持するスピゴット状ハウジング区分は、周囲のハウジングカラー部の内側に有利に配列される。２つのコネクターが一緒に差し込まれたとき、相補的なプラグコネクターと連係するハウジングスリーブをシール部とハウジングカラー部との間の領域へと導入でき、シール部が圧縮される程度に、シール部とハウジングカラー部との間の間隔は該ハウジングスリーブの壁厚よりも好都合に小さくなっている。
【００１２】
プラグコネクターは、差し込み部品として設けることができ、又は、各々のプラグコネクターシステムの受け側部品として設けることができる。なお、プラグコネクターは、差し込み部品として設計されるのが好ましい。
【００１３】
以下、本発明を次の詳細な説明において実施例及び図面を参照してより詳細に説明する。
【実施例】
【００１４】
図１は、本発明に係る電気プラグコネクター１０の一例としての実施例を概略的な斜視図で示している。
本プラグコネクター１０は、電気的接点部のための少なくとも１つの受け入れ部１４（図３も参照せよ）を有するハウジング１２を備えている。本場合においては、複数の受け入れ部１４が設けられている。
【００１５】
電気的接点部は、受け入れ部１４内で第１のラッチ手段１６により掛け留めされる（図３参照）。これらの第１のラッチ手段１６は、例えば、特にラッチ舌状部等のラッチ要素を備えている。
【００１６】
図１乃至図３を参照しても特に認めることができるように、電気的プラグコネクター１０は、更に、第２のラッチ要素１８を備えている。この第２のラッチ要素１８は、例えば、図１乃至３に示され且つ各々の電気的接点部を各々の受け入れ部１４内に挿入することができる組み立て前位置から、各々の電気的接点部が第２のラッチ要素１８によって受け入れ部１４で固定されている、エンド位置へと、ハウジング１２に対して移動可能である。本場合においては、特にラッチ舌状部及び／又はその類似のもの（図３）等により形成された第１のラッチ手段１６は、外側に逸れて第２のラッチ要素１８による第１のラッチを解放することを防止されている。
【００１７】
更にはシール部２０が設けられており、該シール部は、スピゴット状のハウジング区分に取り付けられ、その回りに延在する。
シール部２０のためのガイドリブ２６は、差し込み方向Ｓで考察したとき、シール部２０を受け入れるように設計されたスピゴット状のハウジング区分２２の領域又は座席２４（特に図３参照）と、組み立て前位置を採用した第２のラッチ要素１８との間に設けられている。シール部２０は、第２のラッチ要素１８の方向にシフトする場合に、シール部２０の座席２４と、組み立て前位置を採用した第２のラッチ要素１８との間の臨界領域２８でこれらのガイドリブ２６によって支持される。
【００１８】
図４を参照して特に認めることができるように、シール部２２が、シフトする場合に中間領域２８において少なくとも事実上その前張力レベルに保持されるように、その周囲に沿ってガイドリブ２６が分布している（図３参照）。
【００１９】
差し込み方向Ｓに延在するガイドリブ２６は、ハウジング１２即ちスピゴット状のハウジング区分２２に設けることができ、又は、本場合にはそれらがハウジング１２即ちスピゴット状のハウジング区分２２に配列された状態で、第２のラッチ要素１８に設けることもできる。後者の場合には、第２のラッチ要素１８には切り抜き部３０が設けられ、第２のラッチ要素１８のエンド位置への移動時には、該切り抜き部内に、ガイドリブ２６が入っていくこととなる。
【００２０】
差し込み方向Ｓにその組み立て前位置とそのエンド位置との間で移動可能である第２のラッチ要素１８は、シール部２０に面したその端部に、カラー３２が設けられていてもよい。例えば、図３を参照して認めることができるように、シール部２０は、オプションで第２のラッチ要素１８のこのカラー３２上で立つことができる。
【００２１】
本場合においては、スピゴット状ハウジング区分２２の回りに延在するシール部２０は、スリーブ状に設計され、例えば、３つのシールリブが設けられている。特に、それは、エラストマー材料から構成することができる。
【００２２】
シール部２０を支持するスピゴット状ハウジング区分２２は、本場合には、周辺ハウジングのカラー３４の内側に配列されている（特に、図１参照）。
２つのコネクターを一緒に差し込む際に、相補的なプラグコネクターと連係したハウジングスリーブを、シール部２０とハウジングカラー３４との間の領域へと導入することができ、このプロセスにおいてシール部２０が圧縮される程度に、差し込み方向Ｓを横断する方向に測定された、シール部２０とハウジングカラー３４との間の間隔は該ハウジングスリーブの壁の厚さよりも好都合に小さくなっている。
【００２３】
電気プラグコネクター１０は、一般に、差し込み部品として、並びに、各々のプラグコネクターシステムの受け側部品としても、設けることができる。しかし、それは差し込み部品として設けられるのが好ましい。
【００２４】
図２は、ガイドリブ２６が拡大表現で提供された図１のハウジングに係る電気プラグコネクター１０の領域Ａを示している。
図３は、図１の発明に係る電気プラグコネクター１０の一部を、概略部分的断側面図で示している。既に言及されたように、第２のラッチ要素１８は、図１乃至図３に関する表現において、その組み立て前位置を各々採用している。
【００２５】
図４は、下方から眺めた、本発明に係る電気プラグコネクター１０を概略的に示しており、第２のラッチ要素は図を明瞭にするため省略されている。シール部２０は、シフトする場合に、中間領域２８（図３も参照）でその張力印加レベルで維持されるように、その周囲に沿って、ガイドリブ２６が、これに対応して分布していることを認めることができる。
【００２６】
従って、シール部２０は、第２のラッチ要素１８（特に、図３も再び参照）の方向にシフトする場合にも臨界的な中間領域２８で支持されている。このようにして、第２のラッチ要素１８がエンド位置に移動する際に、シール部２０が押しつぶされたり、シール部が損傷したりすることが防止される。
【００２７】
これとは対照的に、ガイドリブが存在しない従来の電気プラグコネクター３６の、図３と比較可能な部分図が、図５に示されている。シール部４０は、組み立て前位置を採用した第２のラッチ要素４０の方向に内側にシフトする場合に、シール座席部４４と、第２のラッチ要素４０との間の隙間４２へと落ちる可能性があることを理解することができる。第２のラッチ要素４０がそのエンド位置へとシフトされた場合、シール部４０の押しつぶし、損傷、又は、破壊さえも起こり、その結果、電気プラグコネクター３６を不能にさせる。
【００２８】
これに対して、本シール部は、臨界中間領域２８にも支持され、第２のラッチ要素１８の方向にシフトする場合に、本発明に係る電気プラグコネクター１０においてその張力印加前レベルに維持される（図１乃至図４参照）。かくして、シール部２０の押しつぶし又は損傷が防止される。
【００２９】
本発明に係るシステムは、自明であり、各々のプラグコネクターを、問題無く、簡単に操作することができる。従って、組み立て工は、各々ハウジングシール部がスリップしたか否かを考える必要はない。該シール部は、あらゆる場合に、その張力印加前レベルに保持されるからである。
【図面の簡単な説明】
【００３０】
【図１】図１は、ガイドリブが設けられた、本発明の一実施例に係る電気プラグコネクターの領域の概略斜視図である。
【図２】図２は、ガイドリブが設けられた、本発明の一実施例に係る電気プラグコネクターの領域の拡大図である。
【図３】図３は、図１の本発明に係る電気プラグコネクターの一部分の概略部分断面側面図である。
【図４】図４は、下方から見た本発明に係る電気プラグコネクターの概略図であり、第２のラッチ要素が明瞭さの理由のため省略された図である。
【図５】図５は、ガイドリブが存在しない従来の電気プラグコネクターの、図３と比較可能な部分図である。
【符号の説明】
【００３１】
１０    電気プラグコネクター
１２    ハウジング
１４    受け入れ部
１６    第１のラッチ手段
１８    第２のラッチ手段
２０    シール部
２２    スピゴット状ハウジング区分
２４    領域、座席部
２６    ガイドリブ
２８    中間領域
３０    切り抜き部
３２    カラー
３４    ハウジングカラー
３６    電気プラグコネクター
３８    シール部
４０    第２のラッチ手段
４２    隙間
４４    シール座席部
Ａ      ガイドリブが設けられた領域
Ｂ      差し込み方向
【図１】
2005216863.tif 000003
【図２】
2005216863.tif 000004
【図３】
2005216863.tif 000005
【図４】
2005216863.tif 000006
【図５】
2005216863.tif 000007
【外国語明細書】
2005216863000001.pdf